(57)【要約】【課題】  電極数を増やすことなく複数の表示状態の切り替えが可能な表示装置及びその表示方法を提供する。【解決手段】  電極４，５に直流電圧を印加することにより泳動粒子３ａ，３ｂの分布状態を変化させて表示を行うと共に、電極４，５に交流電圧を印加することにより、泳動粒子３ａ，３ｂの比誘電率と、泳動粒子３ａ，３ｂと異なる比誘電率を有する分散媒２の比誘電率との大小関係に応じて泳動粒子３ａ，３ｂを、閉容器内に生じた不均一電界の強電界領域または弱電界領域に移動させて表示を行うようにする。電極数を増やすことなく複数の表示状態を切り替えることができる。【選択図】      図１
2005242320.tif 000002
【特許請求の範囲】
【請求項１】
複数の閉容器が設けられた第１の基板、前記閉容器内に充填された流体、前記流体とは異なる比誘電率を有し、前記流体中に分散して維持された複数の帯電粒子、並びに前記閉容器内に電界を生じさせる一対の電極を備え、前記閉容器の各々の前記帯電粒子の位置の分布により画像を形成する表示装置であって、
前記一対の電極は、前記閉容器内に不均一な電界強度の電界を生じさせ、
前記一対の電極間に直流電圧を印加することにより前記帯電粒子を前記一対の電極のうちの一方の電極面とその近傍に分布させ、前記一対の電極間に交流電圧を印加することにより、前記帯電粒子の比誘電率と前記流体の比誘電率との大小関係に応じて、前記帯電粒子を前記電界強度の最大位置とその近傍もしくは最小位置とその近傍のいずれかに分布させることを特徴とする表示装置。
【請求項２】
前記閉容器は、前記第１の基板と、前記基板に対向する透明な第２の基板と、両端が前記第１と第２の基板にそれぞれ接する壁とで構成された閉空間であることを特徴とする請求項１に記載の表示装置。
【請求項３】
前記一対の電極の一方が前記第１の基板に設けられ、もう一方が前記壁に設けられていることを特徴とする請求項２に記載の表示装置。
【請求項４】
前記一対の電極の一方が前記第２の基板に設けられ、もう一方が前記壁に設けられていることを特徴とする請求項２に記載の表示装置。
【請求項５】
前記一対の電極の一方が前記第２の基板に設けられ、もう一方が前記第１の基板に設けられており、いずれかの電極が、前記壁の表面に延長して配設されていることを特徴とする請求項２に記載の表示装置。
【請求項６】
前記一対の電極は対向して配置され、電極面の距離が不均一であることを特徴とする請求項１に記載の表示装置。
【請求項７】
前記一対の電極の一方が前記第１の基板に設けられ、もう一方が前記第２の基板に設けられており、少なくともいずれか一方の電極が、前記閉容器の中央で凸部を有することを特徴とする請求項１に記載の表示装置。
【請求項８】
前記流体が透明であって、画像表示面から見て、前記一方の電極面とその近傍に帯電粒子が分布したときに前記帯電粒子が視認され、前記電界強度の最大位置とその近傍もしくは最小位置とその近傍のいずれかに帯電粒子が分布したときに前記基板面が視認されることを特徴とする請求項１に記載の表示装置。
【請求項９】
前記流体が不透明であって、画像表示面から見て、前記一方の電極面とその近傍に帯電粒子が分布したときに前記帯電粒子が視認され、前記電界強度の最大位置とその近傍もしくは最小位置とその近傍のいずれかに帯電粒子が分布したときに前記流体が視認されることを特徴とする請求項１に記載の表示装置。
【請求項１０】
前記閉容器が前記第１の基板上に配置されたマイクロカプセルであり、前記マイクロカプセルが、前記第１の基板と該第１の基板に対向する透明な第２の基板との間にはさまれていることを特徴とする請求項１に記載の表示装置。
【請求項１１】
前記一対の電極の一方が前記第１の基板に設けられ、もう一方の電極が前記第２の基板に設けられており、前記第１の基板に設けられた電極が前記第１の基板と前記マイクロカプセル外表面に囲まれた間隙に延長して配設されているか、もしくは前記第２の基板に設けられた電極が前記第２の基板と前記マイクロカプセル外表面に囲まれた間隙に延長して配設されていることを特徴とする請求項１０に記載の表示装置。
【請求項１２】
前記帯電粒子の比誘電率が前記流体の比誘電率より大きく、前記交流電圧印加によって帯電粒子が前記電界強度の最大位置とその近傍に分布することを特徴とする請求項１に記載の表示装置。
【請求項１３】
前記帯電粒子の比誘電率が前記流体の比誘電率より小さく、前記交流電圧印加によって帯電粒子が前記電界強度の最小位置とその近傍に分布することを特徴とする請求項１に記載の表示装置。
【請求項１４】
複数の閉容器が設けられた第１の基板、前記閉容器内に充填された流体、前記流体とは異なる比誘電率を有し、前記流体中に分散して維持された複数の正極性の帯電粒子、前記流体とは異なる比誘電率を有し、前記流体中に分散して維持された複数の負極性の帯電粒子、並びに前記閉容器内に電界を生じさせる一対の電極を備え、前記閉容器の各々の前記正極性及び負極性の帯電粒子の位置の分布により画像を形成する表示装置であって、
前記一対の電極は、前記閉容器内に不均一な電界強度の電界を生じさせ、
前記一対の電極間に直流電圧を印加することにより、前記正極性の帯電粒子を前記一方の電極面とその近傍に分布させ、前記一対の電極間に前記直流電圧とは逆極性の直流電圧を印加することにより前記負極性の帯電粒子を前記一方の電極面とその近傍に分布させ、前記一対の電極間に交流電圧を印加することにより、前記正極性及び負極性の帯電粒子の比誘電率と前記流体の比誘電率との大小関係に応じて、前記正極性及び負極性の帯電粒子を前記電界強度の最大位置とその近傍もしくは最小位置とその近傍のいずれかに分布させることを特徴とする表示装置。
【請求項１５】
前記正極性の帯電粒子と負極性の帯電粒子が異なる色に着色され、かつ前記流体が前記正極性と負極性の帯電粒子の色とはさらに異なる色に着色されていることを特徴とする請求項１４に記載の表示装置。
【請求項１６】
前記正極性の帯電粒子と負極性の帯電粒子が異なる色に着色され、かつ前記第１の基板が前記正極性と負極性の帯電粒子の色とはさらに異なる色に着色されていることを特徴とする請求項１４に記載の表示装置。
【請求項１７】
前記正極性の帯電粒子と負極性の帯電粒子がそれぞれ白または黒に着色され、かつ前記第１の基板が閉容器ごとに異なる３色に着色されていることを特徴とする請求項１６に記載の表示装置。
【請求項１８】
前記正極性の帯電粒子が透光性着色粒子であり、前記負極性の帯電粒子が前記正極性の帯電粒子の色に対して補色の透光性着色粒子であり、
前記正極性と負極性の帯電粒子が重なったときに黒色が視認されることを特徴とする請求項１４に記載の表示装置。
【請求項１９】
複数の閉容器が設けられた第１の基板、前記閉容器内に充填された流体、前記流体とは異なる比誘電率を有し、前記流体中に分散して維持された複数の帯電粒子、並びに前記閉容器内に電界を生じさせる一対の電極を備えた表示装置に対して、前記閉容器の各々の前記帯電粒子の位置の分布により画像を形成させる表示方法であって、
前記一対の電極に電圧を印加して、前記閉容器内に不均一な電界強度の電界を生じさせ、
前記一対の電極間に直流電圧を印加することにより前記帯電粒子が前記一対の電極のうちの一方の電極面とその近傍に分布し、前記帯電粒子の分布が視認される状態と、
前記一対の電極間に交流電圧を印加することにより、前記帯電粒子の比誘電率と前記流体の比誘電率との大小関係に応じて、前記帯電粒子が前記電界強度の最大位置とその近傍もしくは最小位置とその近傍のいずれかに分布し、前記基板面が視認される状態と、
により画像を形成し、表示することを特徴とする表示方法。
【請求項２０】
複数の閉容器が設けられた第１の基板、前記閉容器内に充填された流体、前記流体とは異なる比誘電率を有し、前記流体中に分散して維持された複数の正極性の帯電粒子、前記流体とは異なる比誘電率を有し、前記流体中に分散して維持された複数の負極性の帯電粒子、並びに前記閉容器内に電界を生じさせる一対の電極を備えた表示装置に対して、前記閉容器の各々の前記正極性及び負極性の帯電粒子の位置の分布により画像を形成させる表示方法であって、
前記一対の電極に電圧を印加して、前記閉容器内に不均一な電界強度の電界を生じさせ、
前記一対の電極間に直流電圧を印加することにより、前記正極性の帯電粒子が前記一方の電極面とその近傍に分布し、前記正極性の帯電粒子の分布が視認される状態と、
前記一対の電極間に前記直流電圧とは逆極性の直流電圧を印加することにより、前記負極性の帯電粒子が前記一方の電極面とその近傍に分布し、前記負極性の帯電粒子の分布が視認される状態と、
前記一対の電極間に交流電圧を印加することにより、前記正極性及び負極性の帯電粒子の比誘電率と前記流体の比誘電率との大小関係に応じて、前記正極性の帯電粒子及び負極性の帯電粒子が前記電界強度の最大位置とその近傍もしくは最小位置とその近傍のいずれかに分布し、前記基板面が視認される状態と、
により画像を形成し、表示することを特徴とする表示方法。
【発明の詳細な説明】
【技術分野】
【０００１】
本発明は、電気泳動表示装置などの泳動粒子を移動させることに基づき表示を行う表示装置とその表示方法に関する。
【背景技術】
【０００２】
近年、デジタル技術の目覚しい進歩により、個人が扱うことのできる情報量は飛躍的に増大している。これに伴い、情報の出力手段としてのディスプレイの開発が盛んにおこなわれており、高精細、低消費電力、軽量、薄型等のユーザビリティの高いディスプレイ（表示装置）へと技術革新が続いている。特に、最近では印刷物と同等の表示品位をもつ“読み易い”高精細なディスプレイが待望されており、これは電子ペーパー、電子ブック等の次世代の商品に欠かせない技術である。
【０００３】
ところで、このようなディスプレイの候補として、Ｅｖａｎｓ等により提案された、一対の基板の間に着色帯電泳動粒子と着色剤を混入した分散媒を挟み、着色帯電泳動粒子と着色された分散媒との対比色により画像を形成する電気泳動表示装置が知られている（例えば、特許文献１参照。）。
【０００４】
一方で、このような電気泳動表示装置においては、染料などの着色剤を分散媒中に混入することに起因して、表示装置としての寿命やコントラストが低下してしまうという問題があった。そこで、分散媒を着色する必要がなく、透明な分散媒中に分散された着色帯電泳動粒子と基板に配置された着色層との対比色によって画像を形成する電気泳動表示装置が提案されている（例えば、特許文献２及び特許文献３参照。）。
【０００５】
ここで、上記のような電気泳動表示装置において明るいカラー表示を実現するために、いくつかの構成が考えられる。例えば、帯電極性と着色の異なる２種類の泳動粒子を用いると共に、２種類の泳動粒子の色と基板に配置された着色層の色という合計３色を単位セル内で表示可能な電気泳動表示装置が提案されている（例えば、特許文献４参照。）。また別の構成としては、泳動粒子の色と分散媒の色、着色層の色という合計３色を単位セル内で表示可能な電気泳動表示装置が提案されている（例えば、特許文献５参照。）。
【０００６】
【特許文献１】米国特許第３６１２７５８号明細書
【特許文献２】特開平１１−２０２８０４号公報
【特許文献３】特開平１１−３５７３６９号公報
【特許文献４】国際公開特許ＷＯ９９／５３３７３明細書
【特許文献５】特開２００２−３５０９０３号公報
【発明の開示】
【発明が解決しようとする課題】
【０００７】
しかしながら、このような明るいカラー表示を実現するため構成の従来の表示装置の一例としての電気泳動表示装置は、単位セル内で３色を切り替えるためには、少なくとも３つの粒子分布（即ち表示状態）を切り替える必要があることから、独立した３つの電極が必要となる。
【０００８】
一般的に電気泳動表示装置は、ＤＣ（直流）電圧印加によって泳動粒子を電極上へ移動させて泳動粒子の分布状態を変化させることにより表示状態を切り替えるため、単位セル内でさらに別の泳動粒子の分布状態をつくろうとする場合、電極数が増えてしまう。
【０００９】
そして、このように電極数が増えてしまうと、プロセスの複雑化や駆動ドライバーへの負担から、コストの上昇を招いてしまう。また、画素内での電極の占める面積が増加するので、これにより開口率が高くならず、明るさやコントラストが制限される。
【００１０】
本発明は、このような現状に鑑みてなされたものであり、電極数を増やすことなく複数の表示状態の切り替えが可能な表示装置及びその表示方法を提供することを目的とするものである。
【課題を解決するための手段】
【００１１】
本発明は、複数の閉容器が設けられた第１の基板、前記閉容器内に充填された流体、前記流体とは異なる比誘電率を有し、前記流体中に分散して維持された複数の帯電粒子、並びに前記閉容器内に電界を生じさせる一対の電極を備え、前記閉容器の各々の前記帯電粒子の位置の分布により画像を形成する表示装置であって、
前記一対の電極は、前記閉容器内に不均一な電界強度の電界を生じさせ、
前記一対の電極間に直流電圧を印加することにより前記帯電粒子を前記一対の電極のうちの一方の電極面とその近傍に分布させ、前記一対の電極間に交流電圧を印加することにより、前記帯電粒子の比誘電率と前記流体の比誘電率との大小関係に応じて、前記帯電粒子を前記電界強度の最大位置とその近傍もしくは最小位置とその近傍のいずれかに分布させることを特徴とするものである。
【００１２】
また、本発明は、複数の閉容器が設けられた第１の基板、前記閉容器内に充填された流体、前記流体とは異なる比誘電率を有し、前記流体中に分散して維持された複数の正極性の帯電粒子、前記流体とは異なる比誘電率を有し、前記流体中に分散して維持された複数の負極性の帯電粒子、並びに前記閉容器内に電界を生じさせる一対の電極を備え、前記閉容器の各々の前記正極性及び負極性の帯電粒子の位置の分布により画像を形成する表示装置であって、
前記一対の電極は、前記閉容器内に不均一な電界強度の電界を生じさせ、
前記一対の電極間に直流電圧を印加することにより、前記正極性の帯電粒子を前記一方の電極面とその近傍に分布させ、前記一対の電極間に前記直流電圧とは逆極性の直流電圧を印加することにより前記負極性の帯電粒子を前記一方の電極面とその近傍に分布させ、前記一対の電極間に交流電圧を印加することにより、前記正極性及び負極性の帯電粒子の比誘電率と前記流体の比誘電率との大小関係に応じて、前記正極性及び負極性の帯電粒子を前記電界強度の最大位置とその近傍もしくは最小位置とその近傍のいずれかに分布させることを特徴とするものである。
【００１３】
また本発明は、複数の閉容器が設けられた第１の基板、前記閉容器内に充填された流体、前記流体とは異なる比誘電率を有し、前記流体中に分散して維持された複数の帯電粒子、並びに前記閉容器内に電界を生じさせる一対の電極を備えた表示装置に対して、前記閉容器の各々の前記帯電粒子の位置の分布により画像を形成させる表示方法であって、
前記一対の電極に電圧を印加して、前記閉容器内に不均一な電界強度の電界を生じさせ、
前記一対の電極間に直流電圧を印加することにより前記帯電粒子が前記一対の電極のうちの一方の電極面とその近傍に分布し、前記帯電粒子の分布が視認される状態と、
前記一対の電極間に交流電圧を印加することにより、前記帯電粒子の比誘電率と前記流体の比誘電率との大小関係に応じて、前記帯電粒子が前記電界強度の最大位置とその近傍もしくは最小位置とその近傍のいずれかに分布し、前記基板面が視認される状態と、
により画像を形成し表示することを特徴とするものである。
【００１４】
また本発明は、複数の閉容器が設けられた第１の基板、前記閉容器内に充填された流体、前記流体とは異なる比誘電率を有し、前記流体中に分散して維持された複数の正極性の帯電粒子、前記流体とは異なる比誘電率を有し、前記流体中に分散して維持された複数の負極性の帯電粒子、並びに前記閉容器内に電界を生じさせる一対の電極を備えた表示装置に対して、前記閉容器の各々の前記正極性及び負極性の帯電粒子の位置の分布により画像を形成させる表示方法であって、
前記一対の電極に電圧を印加して、前記閉容器内に不均一な電界強度の電界を生じさせ、
前記一対の電極間に直流電圧を印加することにより、前記正極性の帯電粒子が前記一方の電極面とその近傍に分布し、前記正極性の帯電粒子の分布が視認される状態と、
前記一対の電極間に前記直流電圧とは逆極性の直流電圧を印加することにより、前記負極性の帯電粒子が前記一方の電極面とその近傍に分布し、前記負極性の帯電粒子の分布が視認される状態と、
前記一対の電極間に交流電圧を印加することにより、前記正極性及び負極性の帯電粒子の比誘電率と前記流体の比誘電率との大小関係に応じて、前記正極性の帯電粒子及び負極性の帯電粒子が前記電界強度の最大位置とその近傍もしくは最小位置とその近傍のいずれかに分布し、前記基板面が視認される状態と、
により画像を形成し表示することを特徴とするものである。
【発明の効果】
【００１５】
本発明においては、電極に直流電圧を印加することにより泳動粒子の分布状態を変化させて表示を行うと共に、電極に交流電圧を印加することにより、泳動粒子を不均一電界発生構造によって生じた不均一電界の強電界領域または弱電界領域に移動させて表示を行うようにする。これによって電極数を増やすことなく複数の表示状態の切り替えが可能となる。また、プロセスの複雑化や駆動ドライバーへの負担からのコスト上昇を回避することができる。また、画素内での電極の占める面積の増加によって開口率が損なわれ、コントラストが低下してしまうという問題も回避することができる。
【発明を実施するための最良の形態】
【００１６】
以下、本発明を実施するための最良の形態について図面を用いて詳細に説明する。
【００１７】
（第１の実施の形態）
図１は、本発明の第１の実施の形態に係る表示装置の一例としての電気泳動表示装置に設けられた電気泳動表示素子の概略構成を示す図であり、同図において、１ａは第１基板、１ｂは第１基板１ａに対して所定間隔を設けた状態で表示側に配置される第２基板である。
【００１８】
２は第１基板１ａ、第２基板１ｂにより形成される閉容器内に充填された分散媒であり、この分散媒中に帯電極性及び着色の異なる２種類の泳動粒子（第１粒子３ａ及び第２粒子３ｂ）が分散されている。４は第１基板１ａ上に形成された第１電極、５は第２基板１ｂ上に形成された第２電極である。なお、本実施の形態において、第１粒子３ａとしてプラス帯電した黒色粒子を、第２粒子３ｂとしてマイナス帯電した白色粒子を用いると共に、第１電極４を赤色に着色している。
【００１９】
ここで、この電気泳動表示装置は電極にＤＣ電圧を印加することで、第１粒子３ａと第２粒子３ｂをそれぞれ異なる電極面に移動させ、泳動粒子の分布状態を変化させることにより、二つの表示状態を表示可能である。例えば、第２電極５を０Ｖに接地して第１電極４にＤＣ−１０Ｖを印加すると、図１の（ａ）に示すように、プラス帯電した第１粒子３ａを第１電極面に、マイナス帯電した第２粒子３ｂを第２電極面に移動させることが可能である。そして、このように第１及び第２粒子３ａ，３ｂを移動させることにより、白色表示が為される。以下、この表示を第１の表示状態という。
【００２０】
また逆に、第２電極５を０Ｖに接地して第１電極４にＤＣ＋１０Ｖを印加すると、図１の（ｂ）に示すように、プラス帯電した第１粒子３ａを第２電極面に、マイナス帯電した第２粒子３ｂを第１電極面に移動させることが可能である。そして、このように第１及び第２粒子３ａ，３ｂを移動させることにより、黒色表示が為される。以下、この表示を第２の表示状態という。また、これらの状態の遷移過程で泳動粒子の移動をとめた中間階調状態も、これらの表示状態に含まれるものとする。
【００２１】
ところで、電気泳動表示装置において、このように第１電極４にＤＣ電圧を印加すると、泳動粒子には電気泳動力が作用し、これにより泳動粒子は移動する。ここで、この電気泳動力は以下のような式で与えられる。
【００２２】
Ｆ＝ｑＥ                    ・・・（１）
Ｆ：電気泳動力
ｑ：粒子の帯電量
Ｅ：外部電界
【００２３】
この式（１）からもわかるように、泳動粒子はＤＣ電圧印加によって形成される電界ベクトルに沿って移動するものであり、最終的には泳動粒子が電極面に蓄積した状態を表示状態とする。よって一般的に、表示状態の数は電極数に依存することになり、表示状態を増やそうとする場合には電極数が増加してしまう。そこで、本実施の形態に係る電気泳動表示装置は、電極数を増加させることなく表示状態を増やすことができるよう電気泳動力によって泳動粒子を移動させるだけでなく、誘電泳動力によって泳動粒子を移動させることができるようにしている。
【００２４】
ここで、この誘電泳動力は、電気泳動力と明確に区別された、電界中の粒子に働く力であり、粒子を球形と仮定すると以下の式で与えられる。
【００２５】
【数１】
2005242320.tif 000003
Ｆ：誘電泳動力
ｒ：粒子半径
ε０：真空の誘電率
ε１：分散媒の比誘電率
ε２：粒子の比誘電率
Ｅ：電界
∇：空間微分
【００２６】
この式（２）からもわかるように、閉容器内に不均一電界が形成されている場合には、泳動粒子の比誘電率が周囲の分散媒の比誘電率より大きいときには、泳動粒子は電界の強い領域に移動する。また逆に、泳動粒子の比誘電率が周囲の分散媒の比誘電率よりも小さいときには、泳動粒子は電界の弱い領域に移動することになる。
【００２７】
誘電泳動力（２）は、ＤＣ電圧印加時でも働くが、この場合は、一般的に電気泳動力（１）が誘電泳動力（２）を上回るため、粒子は主に電気泳動力（１）によって移動し、誘電泳動力（２）の影響は少ない。
【００２８】
しかし、ＡＣ（交流）電圧を印加した場合は、低い周波数のＡＣ電圧では、振動的な電気泳動力（１）により、泳動粒子は両電極間を往復して移動するが、周波数を高めるとしだいに泳動粒子が電気泳動力に追従できなくなり、この結果、誘電泳動力（２）が支配的に働くようになる。
【００２９】
そして、このような誘電泳動力（２）を利用することにより、例えば［泳動粒子の比誘電率＞分散媒の比誘電率］の関係を満たす場合には、電極にＡＣ電圧を印加することによって、閉容器内の不均一電界（電界勾配）分布の強電界領域に泳動粒子を移動させることができる。又、［泳動粒子の比誘電率＜分散媒の比誘電率］の関係を満たす場合には、閉容器内の不均一電界（電界勾配）分布の弱電界領域に泳動粒子を移動させることができる。結果として、泳動粒子は、泳動粒子と分散媒の比誘電率の大小に応じて、閉容器内の電界強度が最大の位置、もしくは最小の位置の周りに集積する。
【００３０】
電気泳動力（１）の働く方向は電界方向と泳動粒子の帯電極性によって決まるので、極性の異なる２種類の帯電粒子を同一方向に移動させることはできないが、誘電泳動力（２）の方向は、泳動粒子と分散媒（絶縁性液体）の誘電率の大小関係さえ決まれば、泳動粒子の帯電極性に関係なく一方向に決まる。よって、このような誘電泳動力（２）を利用することによって、電極数を増やすことなく両極性の粒子を同一の領域に移動させることが可能となる。
【００３１】
誘電泳動力は一方向にしか働かないから、いったん電界の最大位置または最小位置に集積した粒子を誘電泳動力によって元に戻すことはできない。しかし、一箇所に集積した泳動粒子は、電気泳動力によって電極表面に移動させると、集積状態がばらけて電極面に広く展開した分布になる。１回の移動では完全に広がらない場合は、電圧を逆転してもう一方の電極面に移動させ、さらにその往復を繰り返していくとほぼ完全に電極面を覆う状態が回復する。これによって誘電泳動力によって生じた粒子の集積状態を元に戻すことができる。
【００３２】
なお、誘電泳動力が小さいと当然、応答速度が遅くなってしまう。また逆に誘電泳動力が大きすぎると、ＤＣ電圧を印加した場合においても泳動粒子が強電界領域（又は弱電界領域）から出られなくなり駆動不良となる。また、式（２）から分かるように、泳動粒子と分散媒の比誘電率に差がない場合、誘電泳動力は消失してしまう。このため、泳動粒子と分散媒の比誘電率の差としては、５＜｜ε１−ε２｜＜５０となることが好ましく、さらに８＜｜ε１−ε２｜＜２０となることがより好ましい。
【００３３】
ＡＣ電圧の周波数は、１周期の正負の電圧に対して泳動粒子がほとんど応答せず、したがって誘電泳動力が支配的となる周波数以上であればよいが、通常は数百Ｈｚ以上である。ＡＣ電圧の振幅は、表示装置として要請される泳動粒子の移動速度から定められるが、駆動ドライバーの耐圧も考慮しなければならない。ＡＣ電圧の作る電界強度の不均一の程度は、電極配置または電極形状によって決まるが、粒子サイズ、および粒子と絶縁性液体の比誘電率差によっても異なることは言うまでもない。ＡＣ電圧の波形については特に限定されるものではなく、矩形波やＳｉｎ波、波高値が非対称な波形でもよい。
【００３４】
図１のように、第１電極面と第２電極面間の距離が閉容器の中央部に向かうにつれて小さくなるように第２電極５を配置するようにした場合、ＡＣ電圧を印加すると、閉容器内には中央部が強電界領域となる不均一電界（電界勾配）分布が形成される。
【００３５】
そして、例えば［泳動粒子の比誘電率＞分散媒の比誘電率］の関係が成立している場合、このように第１電極４と第２電極５の間にＡＣ電圧を印加すると、図１の（ｃ）に示すように、第１粒子３ａと第２粒子３ｂが強電界領域（領域Ａ）に移動し、第１電極面が露出する。この結果、赤色表示が為される。以下、この表示を第３の表示状態という。
【００３６】
つまり、本実施の形態においては、ＤＣ電圧を印加することで電気泳動力によって第１及び第２の表示状態の切り替えを行うことができると共に、ＡＣ電圧を印加することで誘電泳動力によって第３の表示状態の切り替えを行うことができる。
【００３７】
このように、第１電極４にＤＣ電圧を印加することにより泳動粒子の分布状態を変化させて表示を行うと共に、第１及び第２電極４，５にＡＣ電圧を印加することにより、第１及び第２粒子３ａ，３ｂ（泳動粒子）を、不均一電界の強電界領域（または弱電界領域）に移動させて表示を行うことによって、電極数を増やすことなく複数の表示状態（第１、第２及び第３の表示状態）の切り替えが可能となる。さらに、電気泳動力（１）のみを用いて第３の状態、つまり基板面が露出した状態を作ろうとすると、もう１つの電極が必要であるが、本実施の形態においては電極数は２のままでよく、駆動回路の増加も回避できる。
【００３８】
以上説明したように、従来の電気泳動表示装置と同様に電気泳動力を粒子移動に利用することに加え、誘電泳動力を利用することによって、電極数を増やすことなく複数の表示状態の切り替えが可能となる。この結果、プロセスの複雑化や駆動ドライバーへの負担からのコスト上昇を回避することができる。また、画素内での電極の占める面積の増加によって開口率が損なわれ、コントラストが低下してしまうという問題も回避することができる。
【００３９】
なお、これまでの説明においては、閉容器内に所望の不均一電界（電界勾配）分布を生じさせるための不均一電界発生構造として、第１電極４の電極面と第２電極５の電極面の距離が一定ではなく、極大値と極小値を持つように配置した構成について述べてきた。そして、このような電極配置、即ち粒子を集積させた状態を一つの表示状態とするような電極配置とした場合、電極面間の距離が極小となる領域に不均一電界の強電界領域が形成され、逆に、電極面間の距離が極大となる領域に弱電界領域が形成される。
【００４０】
しかし、第３の表示状態を十分に形成可能なだけの不均一電界分布を閉容器内に生じさせるための不均一電界発生構造としては、このような構成（電極配置）に限らず、例えば、閉容器を形成する部材の誘電率差によって閉容器内に不均一電界（電界勾配）分布を生じさせる構成にしても良い。さらに、後述するように電極配置及び／又は電極形状によって閉容器内に不均一電界（電界勾配）分布を生じさせるように構成しても良い。また言うまでもないが、これら前者と後者を組み合わせても良い。
【００４１】
なお、本実施の形態は粒子が白黒の２種類存在する電気泳動表示装置であるが、一方のみの電気泳動表示装置に対しても、本実施の形態が適用できる。たとえば、黒粒子３ａのみが存在するときは、分散媒２が透明なので、図１（ａ）と（ｂ）は同じ黒状態として視認され、（ｃ）が基板面の赤色として視認される。基板を白色とすれば、白と黒の表示ができる。図１（ａ）と（ｂ）は、電圧が逆極性なので、（ａ）と（ｂ）を交互に用いることによってＤＣ電圧の偏りを無くすことができる。
【００４２】
（第２の実施の形態）
次に、本発明の第２の実施の形態について説明する。
【００４３】
図２は、本実施の形態に係るカラー表示が可能な電気泳動表示装置に設けられた電気泳動表示素子の概略構成を示す図である。なお、同図において、図１と同一符号は、同一又は相当部分を示している。
【００４４】
同図において、Ｇ１は第１画素、Ｇ２は第２画素、Ｇ３は第３画素であり、これら３つの画素Ｇ１，Ｇ２，Ｇ３が並列配置されて１ピクセルが構成されている。また、７は第１基板１ａ及び第２基板１ｂの間隔を一定に保持するために配置された隔壁であり、この隔壁７によって各画素Ｇ１，Ｇ２，Ｇ３は仕切られている。また、基板１ａ，１ｂと隔壁７で形成された閉容器に帯電極性及び着色の異なる２種類の泳動粒子（第１粒子３ａ及び第２粒子３ｂ）と分散媒２が封入されている。
【００４５】
ここで、第１電極４の一部は、この隔壁７の表面（側面）に配置されて第２電極５に近接するように形成されている。つまり、本実施の形態においては、第１電極面と第２電極面の距離が画素側面の隔壁部において極小となるように電極４，５が配置されている。そして、このように第１電極面と第２電極面の距離が画素側面の隔壁部において極小となるようにすることにより、ＡＣ電圧を印加すると、画素内に不均一電界分布が形成されるとともに、同図に示すように、第１電極面と第２電極面の距離が最も近い領域に強電界領域（領域Ａ）を形成することができる。これにより、泳動粒子を画素側面に集めることができ、この状態を表示状態とすることができる。
【００４６】
ここで、第１の実施の形態では画素の中央で電界強度が最大になるので、１箇所に粒子を集積させることになるが、今の場合は画素の周囲に沿って粒子が集積するので、集積状態において表示面に垂直な方向から視認される粒子エリアが狭くなり、この状態の有効面積（開口率）が向上する。
【００４７】
９ａ，９ｂ，９ｃは、第１電極４の上に形成された着色層、１０は指向性散乱板であり、このような指向性散乱板１０を設けることにより、第１基板上に配置された着色層９ａ，９ｂ，９ｃの色を表示する場合、着色層９ａ，９ｂ，９ｃから散乱された光が泳動粒子にあたり、第２基板側に到達する前に損失しないようにすることができる。
【００４８】
ここで、この指向性散乱板１０は、第１電極４を光反射率の高い金属で形成すると共に、第１電極４に入射した光が第２基板側に集まるように指向性設計された凹凸形状を第１電極面に形成することにより形成される。つまり、第１電極４が指向性散乱板１０を兼ねている。
【００４９】
また、隔壁７は第２基板１ｂに接する側で隔壁幅が細く形成されており、このように隔壁７を形成することにより、泳動粒子が強電界領域（領域Ａ）に集められたときの収容容積を大きくすることができ、これにより着色層９ａ，９ｂ，９ｃの開口面積を広くすることができ、これによりコントラストを改善することができる。
【００５０】
なお、本実施の形態においては、例えば第１粒子３ａをプラス帯電で黒色粒子、第２粒子３ｂをマイナス帯電で白色粒子とすると共に、２種類の泳動粒子３ａ，３ｂの比誘電率と分散媒２の比誘電率は、［２種類の泳動粒子３ａ，３ｂの比誘電率＞分散媒２の比誘電率］の関係を満たすものとする。また、例えば、第１画素Ｇ１の着色層９ａを赤、第２画素Ｇ２の着色層９ｂを緑、第３画素Ｇ３の着色層９ｃを青とする。
【００５１】
次に、このような構成の電気泳動表示素子における表示方法（駆動方法）を説明する。
【００５２】
第１画素Ｇ１において、共通電極である第２電極５を０Ｖに接地して、第１電極４に所望の電圧として、例えば第１電極４にＤＣ−１０Ｖを印加すると、プラス帯電した黒色の第１粒子３ａは第１電極面に、マイナス帯電した白色の第２粒子３ｂは第２電極面に移動し、この結果、第２基板側の観測者からは白色の第２粒子３ｂの着色が観測されることとなる。即ち、第１画素Ｇ１は白表示状態となる。
【００５３】
また第２画素Ｇ２において、逆に、第１電極４にＤＣ＋１０Ｖを印加すると、プラス帯電した黒色の第１粒子３ａは第２電極面に、マイナス帯電した白色の第２粒子３ｂは第１電極面に移動し、この結果、第２基板側の観測者からは黒色の第１粒子３ａの着色が観測されることとなる。即ち、この場合は、第２画素Ｇ２は黒表示状態となる。
【００５４】
さらに、第３画素Ｇ３において、第１電極４に±１０ＶのＡＣ電圧を印加すると、第１粒子３ａ及び第２粒子３ｂは共に画素内の強電界領域（領域Ａ）に移動し、この結果、第２基板側の観測者からは主に赤色の着色層９ｃの色が観測されることとなる。即ち、この場合は、赤表示状態となる。
【００５５】
以上の説明のように、２種類の粒子３ａ，３ｂの色と、着色層９ａ，９ｂ，９ｃの色の合計三色を３つの各画素Ｇ１〜Ｇ３で表示可能である。
【００５６】
次に、図３を用いて本電気泳動表示素子の１ピクセルにおけるカラー表示方法の一例を、白色、単色、補色、黒色の各場合について説明する。
【００５７】
白表示の場合は図３の（ａ）に示すように、全ての画素Ｇ１〜Ｇ３において白色の第２粒子３ｂを第２電極５上に集めると共に、黒色の第１粒子３ａを第１電極４上に集める。この結果、入射光は、白色の第２粒子３ｂによって完全散乱されて明るい白表示となる。
【００５８】
赤、緑、青などの単色表示の場合、例えば緑表示の場合は、（ｂ）に示すように、第１電極４にＡＣ電圧を印加することにより、第２画素Ｇ２においては白色の第２粒子３ｂと黒色の第１粒子３ａを強電界領域（領域Ａ）に集め、緑色の着色層９ｂを露出させる。また、第１画素Ｇ１および第３画素Ｇ３においては、黒色の第１粒子３ａを第２電極５上に集め、赤色の着色層９ａと青色の着色層９ｃをそれぞれ遮蔽する。この結果、入射光は、第２画素Ｇ２で指向性散乱された緑色光成分により緑色となる。
【００５９】
シアン、マゼンタ、イエローなどの補色表示の場合、例えばマゼンタ表示の場合は、（ｃ）に示すように、第２画素Ｇ２においては黒色の第１粒子３ａを第２電極５上に集め、緑色の着色層９ｂを遮蔽する。また、第１画素Ｇ１及び第３画素Ｇ３においては第１電極４にＡＣ電圧を印加することにより、白色の第２粒子３ｂと黒色の第１粒子３ａを強電界領域（領域Ａ）に集め、赤色の着色層９ａと青色の着色層９ｃをそれぞれ露出させる。この結果、入射光は、第１画素Ｇ１で指向性散乱された赤色光成分と、第３画素Ｇ３で指向性散乱された青色光成分との加法混色によりマゼンタ色となる。
【００６０】
黒表示の場合は、（ｄ）に示すように、全ての画素Ｇ１〜Ｇ３において黒色の第１粒子３ａを第２電極５上に集め、白色の第２粒子３ｂを第１電極４上に集める。この結果、入射光は、黒色の第１粒子３ａによって吸収されて黒表示となる。
【００６１】
このように、所望の電極にＤＣ電圧、或いはＡＣ電圧を選択的に印加するようにすることにより、２種類の粒子３ａ，３ｂの色と、着色層９ａ，９ｂ，９ｃの色とにより、白、黒、赤、緑、青などの単色、及びシアン、マゼンタ、イエローなどの補色の表示が可能となる。なお、これまでの説明において、第１電極４の一部を隔壁７の位置、即ち隔壁７の表面又は内部に配置することにより、強電界領域を形成するようにしたが、第１電極４だけでなく、第２電極５又は第１及び第２電極４，５両方の一部を隔壁７の位置、即ち隔壁７の表面又は内部に配置するようにしても良い。
【００６２】
また、これまでの説明においては、帯電極性の異なる２種類の泳動粒子３ａ，３ｂを同一方向に誘電泳動させるために、［２種類の泳動粒子の比誘電率＞分散媒の比誘電率］の関係を満たすようにしたが、［２種類の泳動粒子の比誘電率＜分散媒の比誘電率］の関係を満たすようにしても良い。
【００６３】
（第３の実施の形態）
次に、本発明の第３の実施の形態について説明する。
【００６４】
図４は、本実施の形態に係るカラー表示が可能な電気泳動表示装置に設けられた電気泳動表示素子の概略構成を示す図である。なお、同図において、図２と同一符号は、同一又は相当部分を示している。
【００６５】
同図において、８は帯電極性及び着色の異なる２種類の泳動粒子（第１粒子３ａ及び第２粒子３ｂ）と分散媒２を内包した透明なマイクロカプセルであり、このマイクロカプセル８は第１基板１ａと第２基板１ｂの間隙に配置されている。これにより、第１基板１ａと第２基板２ｂの間隙に形成される閉容器がマイクロカプセル８によって形成される。
【００６６】
なお、本実施の形態においては、同図に示すように第２電極５の一部が、マイクロカプセル表面に沿って第１電極側に近接するように延長されて形成されており、これにより第１電極面と第２電極面の距離がマイクロカプセルの側面において極小となる。そして、このように第２電極５を形成することにより、画素内に不均一電界分布を形成することができ、第１電極面と第２電極面の距離が最も近い領域に強電界領域（領域Ａ）を形成することができる。
【００６７】
以下、このような構成の電気泳動表示素子における表示方法（駆動方法）を説明する。
【００６８】
第１画素Ｇ１において、共通電極である第２電極５を０Ｖに接地して、第１電極４に所望の電圧として、例えば第１電極４にＤＣ−１０Ｖを印加すると、プラス帯電した黒色の第１粒子３ａは第１電極面に、マイナス帯電した白色の第２粒子３ｂは第２電極面に移動し、この結果、第２基板側の観測者からは白色の第２粒子３ｂの着色が観測されることとなる。即ち、第１画素Ｇ１は白表示状態となる。
【００６９】
また第２画素Ｇ２において、逆に、第１電極４にＤＣ＋１０Ｖを印加すると、プラス帯電した黒色の第１粒子３ａは第２電極面に、マイナス帯電した白色の第２粒子３ｂは第１電極面に移動し、この結果、第２基板側の観測者からは黒色の第１粒子３ａの着色が観測されることとなる。即ち、この場合は、第２画素Ｇ２は黒表示状態となる。
【００７０】
さらに、第３画素Ｇ３において、第１電極４に±１０ＶのＡＣ電圧を印加すると、第１粒子３ａ及び第２粒子３ｂは共に画素内の強電界領域（領域Ａ）に移動し、この結果、第２基板側の観測者からは主に赤色の着色層９ｃの色が観測されることとなる。即ち、この場合は、赤表示状態となる。
【００７１】
以上の説明のように、本実施の形態においても、２種類の粒子３ａ，３ｂの色と着色層９ａ，９ｂ，９ｃの色の合計三色を３つの各画素Ｇ１〜Ｇ３で表示可能である。
【００７２】
次に、図５を用いて本電気泳動表示素子の１ピクセルにおけるカラー表示方法の一例を、白色、単色、補色、黒色の各場合について説明する。
【００７３】
白表示の場合は図５の（ａ）に示すように、全ての画素Ｇ１〜Ｇ３において白色の第２粒子３ｂを第２電極５上に集めると共に、黒色の第１粒子３ａを第１電極４上に集める。この結果、入射光は、白色の第２粒子３ｂによって完全散乱されて明るい白表示となる。
【００７４】
赤、緑、青などの単色表示の場合、例えば緑表示の場合は、（ｂ）に示すように、第２画素Ｇ２においては第１電極４にＡＣ電圧を印加することにより、白色の第２粒子３ｂと黒色の第１粒子３ａを強電界領域（領域Ａ）に集め、緑色の着色層９ｂを露出させる。また第１画素Ｇ１および第３画素Ｇ３においては、黒色の第１粒子３ａを第２電極５上に集め、赤色の着色層９ａと青色の着色層９ｃをそれぞれ遮蔽する。この結果、入射光は、第２画素Ｇ２で指向性散乱された緑色光成分により緑色となる。
【００７５】
シアン、マゼンタ、イエローなどの補色表示の場合、例えばマゼンタ表示の場合は、（ｃ）に示すように、第２画素Ｇ２においては黒色の第１粒子３ａを第２電極５上に集め、緑色の着色層９ｂを遮蔽する。また第１画素Ｇ１及び第３画素Ｇ３においては第１電極４にＡＣ電圧を印加することにより、白色の第２粒子３ｂと黒色の第１粒子３ａを強電界領域（領域Ａ）に集め、赤色の着色層９ａと青色の着色層９ｃをそれぞれ露出させる。この結果、入射光は、第１画素Ｇ１で指向性散乱された赤色光成分と第３画素Ｇ３で指向性散乱された青色光成分との加法混色によりマゼンタ色となる。
【００７６】
黒表示の場合は（ｄ）に示すように、全ての画素Ｇ１〜Ｇ３において黒色の第１粒子３ａを第２電極５上に集め、白色の第２粒子３ｂを第１電極４上に集める。この結果、入射光は、黒色の第１粒子３ａによって吸収されて黒表示となる。
【００７７】
このように、本実施の形態においても、所望の電極にＤＣ電圧、或いはＡＣ電圧を選択的に印加するようにすることにより、２種類の粒子３ａ，３ｂの色と、着色層９ａ，９ｂ，９ｃの色とにより、白、黒、赤、緑、青などの単色、及びシアン、マゼンタ、イエローなどの補色の表示が可能となる。
【００７８】
本実施例のマイクロカプセルは、従来、上下の基板上にそれぞれ電極を設けてマイクロカプセル内を上下に泳動粒子を移動させるものであったのを、上下移動に加えて、電極数はそのままでさらに左右の移動を可能にするものである。なお、図４では、一つの画素Ｇ１〜Ｇ３に配置されるマイクロカプセル８の数は一つであるが、マイクロカプセル８の数を二つ以上の数としてもよい。
【００７９】
（第４の実施の形態）
次に、本発明の第４の実施の形態について説明する。
【００８０】
図６は、本実施の形態に係るカラー表示が可能な電気泳動表示装置に設けられた電気泳動表示素子の概略構成を示す図である。なお、同図において、図２と同一符号は、同一又は相当部分を示している。
【００８１】
同図において、６は第１電極４上の中央部に形成された突起形状の電極面であり、このような突起形状の電極面６を第１電極４上に形成することにより、第１電極４（の突起形状）の電極面と第２電極５の電極面の間に不均一電界分布として強電界領域（領域Ａ）を形成する（生じさせる）ことができる。なお、本実施の形態において、例えば第１画素Ｇ１の着色層９ａをシアン、第２画素Ｇ２の着色層９ｂをマゼンタ、第３画素Ｇ３の着色層９ｃをイエローとする。
【００８２】
次に、このような構成の電気泳動表示素子における表示方法（駆動方法）を説明する。
【００８３】
第１画素Ｇ１において、共通電極である第２電極５を０Ｖに接地して、第１電極４に所望の電圧として、例えば第１電極４にＤＣ−１０Ｖを印加すると、プラス帯電した黒色の第１粒子３ａは第１電極面に、マイナス帯電した白色の第２粒子３ｂは第２電極面に移動し、この結果、第２基板側の観測者からは白色の第２粒子の着色が観測されることとなる。即ち、第１画素Ｇ１は白表示状態となる。
【００８４】
また第２画素Ｇ２において、逆に、第１電極４にＤＣ＋１０Ｖを印加すると、プラス帯電した黒色の第１粒子３ａは第２電極面に、マイナス帯電した白色の第２粒子３ｂは第１電極面に移動し、この結果、第２基板側の観測者からは黒色の第１粒子３ａの着色が観測されることとなる。即ち、この場合は、第２画素Ｇ２は黒表示状態となる。
【００８５】
さらに、第３画素Ｇ３において、第１電極４に±１０ＶのＡＣ電圧を印加すると、第１粒子３ａ及び第２粒子３ｂは共に画素内の強電界領域（領域Ａ）に移動し、この結果、第２基板側の観測者からは、主にイエローの着色層９ｃの色が観測されることとなる。即ち、この場合は、イエロー表示状態となる。
【００８６】
以上の説明のように、本実施の形態においても、２種類の粒子３ａ，３ｂの色と着色層９ａ，９ｂ，９ｃの色の合計三色を３つの各画素Ｇ１〜Ｇ３で表示可能である。
【００８７】
以下、図７を用いて本電気泳動表示素子の１ピクセルにおけるカラー表示方法の一例を、白色、単色、補色、黒色の各場合について説明する。
【００８８】
白表示の場合は図７の（ａ）に示すように、全ての画素Ｇ１〜Ｇ３において白色の第２粒子３ｂを第２電極５上に集めると共に、黒色の第１粒子３ａを第１電極４上に集める。この結果、入射光は、白色の第２粒子３ｂによって完全散乱されて明るい白表示となる。
【００８９】
赤、緑、青などの単色表示の場合、例えば緑表示の場合は、（ｂ）に示すように、第１画素Ｇ１及び第３画素Ｇ３においては第１電極４にＡＣ電圧を印加することにより、白色の第２粒子３ｂと黒色の第１粒子３ａを強電界領域（領域Ａ）に集め、シアン着色層９ａとイエロー着色層９ｃをそれぞれ露出させる。また第２画素Ｇ２においては黒色の第１粒子３ａを第２電極５上に集め、マゼンタ着色層９ｂを遮蔽する。この結果、入射光は、第１画素Ｇ１で指向性散乱されたシアン色光成分と第３画素Ｇ３で指向性散乱されたイエロー色光成分との加法混色により緑色となる。
【００９０】
シアン、マゼンタ、イエローなどの補色表示の場合、例えばマゼンタ表示の場合は、（ｃ）に示すように、第１画素Ｇ１及び第３画素Ｇ３においては黒色の第１粒子３ａを第２電極５上に集め、シアン着色層９ａとイエロー着色層９ｃをそれぞれ遮蔽する。また第２画素Ｇ２においては第１電極４にＡＣ電圧を印加することにより、白色の第２粒子３ｂと黒色の第１粒子３ａを強電界領域（領域Ａ）に集め、マゼンタ着色層９ｂを露出させる。この結果、入射光は、第２画素Ｇ２で指向性散乱されたマゼンタ色光成分によりマゼンタ色となる。
【００９１】
黒表示の場合は、（ｄ）に示すように、全ての画素Ｇ１〜Ｇ３において黒色の第１粒子３ａを第２電極５上に集め、白色の第２粒子３ｂを第１電極４上に集める。この結果、入射光は、黒色の第１粒子３ａによって吸収されて黒表示となる。
【００９２】
このように、本実施の形態においても、所望の電極にＤＣ電圧、或いはＡＣ電圧を選択的に印加するようにすることにより、２種類の粒子３ａ，３ｂの色と、着色層９ａ，９ｂ，９ｃの色とにより、白、黒、赤、緑、青などの単色、及びシアン、マゼンタ、イエローなどの補色の表示が可能となる。
【００９３】
ところで、これまでの説明では、全ての画素Ｇ１〜Ｇ３にそれぞれ同一の第１粒子３ａと第２粒子３ｂを配置した場合について説明したが、本発明は特にこれに限定されるものではなく、画素ごとに異なる色の第１粒子３ａと第２粒子３ｂを配置するようにしても良い。
【００９４】
（第５の実施の形態）
次に、このような本発明の第５の実施の形態に係るカラー表示が可能な電気泳動表示装置について説明する。
【００９５】
図８は、本実施の形態に係るカラー表示が可能な電気泳動表示装置に設けられた電気泳動表示素子の概略構成を示す図である。なお、同図において、図２と同一符号は、同一又は相当部分を示している。
【００９６】
ここで、本実施の形態において、第２電極５は隔壁内部に形成され、隔壁沿いに第１基板に近づくにつれて第１電極４に近接するように形成されており、これにより第１電極面と第２電極面の距離が画素側面の隔壁部において極小となる。そして、このように第１電極面と第２電極面の距離が画素側面の隔壁部において極小となるようにすることにより、画素内に不均一電界分布が形成され、第１電極面と第２電極面の距離が最も近い領域に強電界領域（領域Ａ）を形成することができる。
【００９７】
また、本実施の形態において、第１画素Ｇ１には第１粒子３ａとしてプラス帯電で黒色粒子を、第２粒子３ｂとしてマイナス帯電で赤色粒子を、第２画素Ｇ２には第１粒子３ａとしてプラス帯電で黒色粒子を、第２粒子３ｂとしてマイナス帯電で緑色粒子を、第３画素Ｇ３には第１粒子３ａとしてプラス帯電で黒色粒子を、第２粒子３ｂとしてマイナス帯電で青色粒子を、それぞれ分散させる。なお、各画素Ｇ１〜Ｇ３において、「２種類の泳動粒子の比誘電率＞分散媒の比誘電率」の関係を満たすものとする。
【００９８】
また、第２電極５は、全ての画素Ｇ１〜Ｇ３において同じ電圧が印加される共通電極とし、第１画素Ｇ１と第２画素Ｇ２、第３画素Ｇ３すべての着色層９ａ，９ｂ，９ｃを、例えば白色着色層とする。
【００９９】
次に、このような構成の電気泳動表示素子における表示方法（駆動方法）を説明する。
【０１００】
第１画素Ｇ１において、共通電極である第２電極５を０Ｖに接地して、第１電極４に所望の電圧として、例えば第１電極４にＤＣ＋１０Ｖを印加すると、プラス帯電した黒色の第１粒子３ａは第２電極面に、マイナス帯電した赤色の第２粒子３ｂは第１電極面に移動し、この結果、第２基板側の観測者からは主に赤色の第２粒子３ｂの着色が観測されることとなる。即ち、この場合は、第１画素Ｇ１は赤表示状態となる。
【０１０１】
また第２画素Ｇ２において、逆に、第１電極４にＤＣ−１０Ｖを印加すると、プラス帯電した黒色の第１粒子３ａは第１電極面に、マイナス帯電した緑色の第２粒子３ｂは第２電極５面に移動し、この結果、第２基板側の観測者からは主に黒色の第１粒子の着色が観測されることとなる。即ち、第２画素Ｇ２は黒表示状態となる。
【０１０２】
さらに、第３画素Ｇ３において、第１電極４に±１０ＶのＡＣ電圧を印加すると、第１粒子３ａ及び第２粒子３ｂは共に画素内の強電界領域（領域Ａ）に移動し、この結果、第２基板側の観測者からは主に白色の着色層９ｃの色が観測されることとなる。即ち、この場合、第３画素Ｇ３は白表示状態となる。
【０１０３】
以上の説明のように、２種類の粒子３ａ，３ｂの色と、着色層９ａ，９ｂ，９ｃの色の合計三色を３つの各画素Ｇ１〜Ｇ３で表示可能である。
【０１０４】
ここで、従来の電気泳動力のみを用いる表示装置では、Ｇ３の状態を作ることができないので、カラー表示を行うには上の基板１ｂにカラーフィルタを設けたが、本実施の形態においては、白の状態（Ｇ１）で粒子が直接白粒子を視認するので、明るい白が表示できる。また、第１の基板１ａにカラーフィルタをつけるので、上の第２基板は、カラーフィルタ形成が不要で、他に何の加工も加える必要がなく、さらに貼り合わせ時の位置あわせもなくただ第１基板に張り合わせるだけでよい。
【０１０５】
さらに本実施の形態では、図８で示したように、隔壁上に基板電極４とは独立した電極５を設けたので、不均一電界が自然に形成され、図３のように基板上の電極を壁に沿って延長させる必要もなく、図６のように画素の一部に凸部を設ける必要もない。
【０１０６】
次に、図９を用いて本電気泳動表示素子の１ピクセルにおけるカラー表示方法の一例を、白色、単色、補色、黒色の各場合について説明する。
【０１０７】
白表示の場合は図９の（ａ）に示すように、全ての画素Ｇ１〜Ｇ３において第１電極４にＡＣ電圧を印加することにより、黒色の第１粒子３ａと、赤色又は緑色又は青色の第２粒子３ｂを強電界領域（領域Ａ）に集め、白色着色層９ａ，９ｂ，９ｃを露出させる。この結果、入射光が指向性散乱されて明るい白表示となる。
【０１０８】
赤、緑、青などの単色表示の場合、例えば緑表示の場合は、（ｂ）に示すように、第１画素Ｇ１及び第３画素Ｇ３においては黒色の第１粒子３ａを第１電極４上に集め、白色散乱層９ａ，９ｃを遮蔽する。また第２画素Ｇ２においては緑色の第１粒子３ａを第１電極４上に集める。この結果、入射光は、第２画素Ｇ２で散乱された緑色光成分により緑色となる。
【０１０９】
シアン、マゼンタ、イエローなどの補色表示の場合、例えばマゼンタ表示の場合は、（ｃ）に示すように、第２画素Ｇ２においては黒色の第１粒子３ａを第１電極４上に集め、白色散乱層９ｂを遮蔽する。また第１画素Ｇ１においては赤色の第２粒子３ｂを第１電極４上に集め、第３画素Ｇ３においては青色の第２粒子３ｂを第１電極４上に集める。この結果、入射光は、第１画素Ｇ１で散乱された赤色光成分と第３画素Ｇ３で散乱された青色光成分との加法混色によりマゼンタ色となる。
【０１１０】
黒表示の場合は（ｄ）に示すように、全ての画素Ｇ１〜Ｇ３において黒色の第１粒子３ａを第１電極４上に集め、白色散乱層９ａ，９ｂ，９ｃを遮蔽する。この結果、入射光は、黒色の第１粒子３ａによって吸収されて黒表示となる。
【０１１１】
このように、本実施の形態においても、所望の電極にＤＣ電圧、或いはＡＣ電圧を選択的に印加するようにすることにより、２種類の粒子３ａ，３ｂの色と、着色層９ａ，９ｂ，９ｃの色とにより、白、黒、赤、緑、青などの単色、及びシアン、マゼンタ、イエローなどの補色の表示が可能となる。
【０１１２】
（第６の実施の形態）
次に、本発明の第６の実施の形態について説明する。
【０１１３】
図１０は、本実施の形態に係るカラー表示が可能な電気泳動表示装置に設けられた電気泳動表示素子の概略構成を示す図である。なお、同図において、図２と同一符号は、同一又は相当部分を示している。
【０１１４】
同図において、１１ａ，１１ｂ，１１ｃは、基板１ａ，１ｂと隔壁７とで形成された閉容器に充填（封入）され、帯電極性及び着色の異なる２種類の泳動粒子（第１粒子３ａ及び第２粒子３ｂ）が分散されている分散媒であり、この分散媒１１ａ，１１ｂ，１１ｃは各画素Ｇ１〜Ｇ３において、異なる色に着色されている。なお、本実施の形態において、例えば第１画素Ｇ１の着色分散媒１１ａを赤（Ｒ）、第２画素Ｇ２の着色分散媒１１ｂを緑（Ｇ）、第３画素Ｇ３の着色分散媒１１ｃを青（Ｂ）としている。
【０１１５】
また、本実施の形態において、第１電極４は隔壁７の側面に形成されており、これにより第１電極面と第２電極面の距離が画素側面の隔壁部において極小となる。そして、このように第１電極面と第２電極面の距離が画素側面の隔壁部において極小となるようにすることにより、画素内に不均一電界分布が形成され、第１電極面と第２電極面の距離が最も近い領域に強電界領域（領域Ａ）を形成することができる。
【０１１６】
次に、このような構成の電気泳動表示素子における表示方法（駆動方法）を説明する。
【０１１７】
第１画素Ｇ１において、共通電極である第２電極５を０Ｖに接地して、第１電極４に所望の電圧として、例えば第１電極４にＤＣ−１０Ｖを印加すると、プラス帯電した黒色の第１粒子３ａは第１電極面に、マイナス帯電した白色の第２粒子３ｂは第２電極面に移動し、この結果、第２基板側の観測者からは主に白色の第２粒子３ｂの着色が観測されることとなる。即ち、この場合は、第１画素Ｇ１は白表示状態となる。
【０１１８】
また第２画素Ｇ２において、逆に、第１電極４にＤＣ＋１０Ｖを印加すると、プラス帯電した黒色の第１粒子３ａは第２電極面に、マイナス帯電した白色の第２粒子３ｂは第１電極面に移動し、この結果、第２基板側の観測者からは主に黒色の第１粒子３ａの着色が観測されることとなる。即ち、第２画素Ｇ２は黒表示状態となる。
【０１１９】
さらに、第３画素Ｇ３において、第１電極４に±１０ＶのＡＣ電圧を印加すると、第１粒子３ａ及び第２粒子３ｂは共に画素内の強電界領域（領域Ａ）に移動し、この結果、第２基板側の観測者からは主に青色の着色分散媒１１ｃの色が観測されることとなる。即ち、この場合、第３画素Ｇ３は青表示状態となる。
【０１２０】
以上の説明のように、２種類の粒子３ａ，３ｂの色と、着色分散媒１１ａ，１１ｂ，１１ｃの色の合計三色を３つの各画素Ｇ１〜Ｇ３で表示可能である。
【０１２１】
次に、図１１を用いて本電気泳動表示素子の１ピクセルにおけるカラー表示方法の一例を、白色、単色、補色、黒色の各場合について説明する。
【０１２２】
白表示の場合は図１１の（ａ）に示すように、全ての画素Ｇ１〜Ｇ３において白色の第２粒子３ｂを第２電極５上に集め、黒色の第１粒子３ａを第１電極４上に集める。この結果、入射光は、白色の第２粒子３ｂによって完全散乱されて明るい白表示となる。
【０１２３】
赤、緑、青などの単色表示の場合、例えば緑表示の場合は、（ｂ）に示すように、第１画素Ｇ１及び第３画素Ｇ３においては黒色の第１粒子３ａを第２電極５上に集め、赤着色分散媒１１ａと、青着色分散媒１１ｃをそれぞれ遮蔽する。また、第２画素Ｇ２においては第１電極４にＡＣ電圧を印加することにより、白色の第２粒子３ｂと黒色の第１粒子３ａを強電界領域（領域Ａ）に集め、緑着色分散媒１１ｂを露出させる。この結果、入射光は、第２画素Ｇ２で散乱された緑色光成分により緑色となる。
【０１２４】
シアン、マゼンタ、イエローなどの補色表示の場合、例えばマゼンタ表示の場合は、（ｃ）に示すように、第１画素Ｇ１及び第３画素Ｇ３においては第１電極４にＡＣ電圧を印加することにより、白色の第２粒子３ｂと黒色の第１粒子３ａを強電界領域（領域Ａ）に集め、赤着色分散媒１１ａと、青着色分散媒１１ｃをそれぞれ露出させる。また第２画素Ｇ２においては、黒色の第１粒子３ａを第２電極５上に集め、緑着色分散媒１１ｂを遮蔽する。この結果、入射光は、第１画素Ｇ１で散乱された赤色光成分と第３画素Ｇ３で散乱された青色光成分との加法混色によりマゼンタ色となる。
【０１２５】
黒表示の場合は（ｄ）に示すように、全ての画素Ｇ１〜Ｇ３において黒色の第１粒子３ａを第２電極５上に集め、白色の第２粒子３ｂを第１電極４上に集める。この結果、入射光は、黒色の第１粒子３ａによって吸収されて黒表示となる。
【０１２６】
このように、本実施の形態においても、所望の電極にＤＣ電圧、或いはＡＣ電圧を選択的に印加するようにすることにより、２種類の粒子３ａ，３ｂの色と、着色分散媒１１ａ，１１ｂ，１１ｃの色とにより、白、黒、赤、緑、青などの単色、及びシアン、マゼンタ、イエローなどの補色の表示が可能となる。
【０１２７】
ところで、これまでの説明では、１つの画素に第１電極４と第２電極５の２つの電極が配置された構成を説明したが、本発明においては、もう一つの電極として第３電極を配置し、さらに透光性の泳動粒子を導入することによって、一つの画素で合計四色の色を表示することができる。
【０１２８】
（第７の実施の形態）
次に、このような本発明の第７の実施の形態に係るカラー表示が可能な電気泳動表示装置について説明する。
【０１２９】
図１２は、本実施の形態に係るカラー表示が可能な電気泳動表示装置に設けられた電気泳動表示素子の概略構成を示す図である。なお、同図において、図１０と同一符号は、同一又は相当部分を示している。
【０１３０】
同図において、１２は第１基板上に形成された第３電極であり、この第３電極１２は指向性散乱板１０を兼ねる一方、第３電極上には着色層９が形成されている。なお、本実施の形態において、第１電極４は隔壁表面に沿うように各画素独立に形成されており、第２電極５は全ての画素Ｇ１〜Ｇ３において同じ電圧が印加される共通電極として第２基板上に形成されている。
【０１３１】
また、本実施の形態において、第１画素Ｇ１には第１粒子３ａとしてプラス帯電で青色の透光性の粒子を、第２粒子３ｂとしてマイナス帯電でイエローの透光性の粒子を、第２画素Ｇ２には第１粒子３ａとしてプラス帯電で緑色の透光性の粒子を、第２粒子３ｂとしてマイナス帯電でマゼンタ色の透光性の粒子を、第３画素Ｇ３には第１粒子３ａとしてプラス帯電で赤色の透光性の粒子を、第２粒子３ｂとしてマイナス帯電でシアン色の透光性の粒子を、それぞれ分散させている。
【０１３２】
なお、各画素Ｇ１〜Ｇ３において、［２種類の泳動粒子の比誘電率＞分散媒の比誘電率］の関係を満たすものとする。また、例えば第１画素Ｇ１と第２画素Ｇ２、第３画素Ｇ３すべての着色層９ａ，９ｂ，９ｃを白色着色層とする。
【０１３３】
次に、このような構成の電気泳動表示素子の１ピクセルにおける表示方法（駆動方法）を説明する。
【０１３４】
第１画素Ｇ１において、共通電極である第２電極５を０Ｖに接地して、第１電極４と第３電極１２に所望の電圧として、例えば第１電極４をＤＣ−５Ｖとして、第３電極１２にＤＣ＋１０Ｖを印加すると、図１３の（ｂ）に示すように、プラス帯電した青色の第１粒子３ａは第１電極面に、マイナス帯電したイエローの第２粒子３ｂは第３電極面に移動し、この結果、第２基板側の観測者からは主にイエローの第２粒子３ｂの着色が観測されることとなる。
【０１３５】
即ち、この場合は、第１画素Ｇ１は黄表示状態となる。なお、このときイエローの第２粒子３ｂは透光性の粒子であることから、第２粒子３ｂを透過した光は白色着色層９ａで散乱された後、再び第２粒子３ｂを透過することで、より明かるいイエローが観測されることとなる。
【０１３６】
また第１画素Ｇ１において、逆に、第１電極４にＤＣ＋５Ｖ、第３電極にＤＣ−１０Ｖを印加すると、図１３の（ｃ）に示すように、プラス帯電した青色の第１粒子３ａは第３電極面に、マイナス帯電したイエローの第２粒子３ｂは第１電極面に移動し、第２基板側の観測者からは主に青色の第１粒子３ａの着色が観測されることとなる。即ち、この場合、第１画素Ｇ１は、青表示状態となる。
【０１３７】
さらに、この後、第１電極４にＤＣ−５Ｖ、第３電極にＤＣ−１０Ｖを印加すると、図１３の（ｄ）に示すように、プラス帯電した青色の第１粒子３ａは第３電極面に、マイナス帯電したイエローの第２粒子３ｂは第２電極面に移動し、第２基板側の観測者からは透光性である第１粒子３ａと、第２粒子３ｂの減法混色によって形成される表示色が観察される。ここでは、互いに補色関係にある青色の第１粒子３ａと、イエローの第２粒子３ｂの減法混色によって黒色となる。
【０１３８】
また、第１電極４に±１０ＶのＡＣ電圧を印加し、同様に、第３電極に±１０ＶのＡＣ電圧を印加すると、つまり第１電極４と第３電極１２に電気的に同一の電圧を印加する。ここで、このように第１電極４と第３電極１２を電気的に同一電圧を印加する電極とし、これら電極４，１２にＡＣ電圧を印加することで、画素内に不均一電界分布が形成され、第１電極面と第２電極面の距離が最も近い領域に強電界領域（領域Ａ）を形成することができる。これにより、図１３の（ａ）に示すように、第１粒子３ａ及び第２粒子３ｂは共に画素内の強電界領域（領域Ａ）に移動し、主に白色の着色層９ａの色が観測されることとなる。即ち、この場合、白表示状態となる。
【０１３９】
以上の説明のように駆動することで、２種類の粒子３ａ，３ｂの色と着色層９の色、そして２粒子の減法混色の合計四色を３つの各画素Ｇ１〜Ｇ３で表示可能である。
【０１４０】
次に、図１３を用いて本電気泳動表示素子におけるカラー表示方法の一例を、白色、単色、補色、黒色の各場合について説明する。
【０１４１】
白表示の場合は図１３の（ａ）に示すように、全ての画素Ｇ１〜Ｇ３において第１電極４及び第３電極１２にＡＣ電圧を印加することにより、第１粒子３ａ（第１画素Ｇ１：青色粒子、第２画素Ｇ２：緑色粒子、第３画素Ｇ３：赤色粒子）と第２粒子３ｂ（第１画素Ｇ１：イエロー粒子、第２画素Ｇ２：マゼンタ色粒子、第３画素Ｇ３：シアン色粒子）を強電界領域（領域Ａ）に集め、白色着色層９ａ，９ｂ，９ｃを露出させる。この結果、入射光が指向性散乱されて明るい白表示となる。
【０１４２】
赤、緑、青などの単色表示の場合、例えば緑表示の場合は、（ｂ）に示すように、第１画素Ｇ１においてイエローの第２粒子３ｂを第３電極上に集め、第２画素Ｇ２においては緑色の第１粒子３ａを第３電極上に集め、第３画素Ｇ３においてはシアン色の第２粒子３ｂを第３電極上に集める。この結果、入射光は、第１画素Ｇ１で散乱されたイエロー光成分と、第２画素Ｇ２で散乱された緑色光成分と、第３画素Ｇ３で散乱されたシアン色光成分の加法混色により緑色となる。
【０１４３】
シアン、マゼンタ、イエローなどの補色表示の場合、例えばマゼンタ表示の場合は、（ｃ）に示すように、第１画素Ｇ１において青色の第１粒子３ａを第３電極上に集め、第２画素Ｇ２においてはマゼンタ色の第２粒子３ｂを第３電極上に集め、第３画素Ｇ３においては赤色の第１粒子３ａを第３電極上に集める。この結果、入射光は、第１画素Ｇ１で散乱された青色光成分と、第２画素Ｇ２で散乱されたマゼンタ色光成分と、第３画素Ｇ３で散乱された赤色光成分の加法混色によりマゼンタ色となる。
【０１４４】
黒表示の場合は（ｄ）に示すように、全ての画素Ｇ１〜Ｇ３において第１粒子３ａ（第１画素Ｇ１：青色粒子、第２画素Ｇ２：緑色粒子、第３画素Ｇ３：赤色粒子）を第２電極５上に集め、第２粒子３ｂ（第１画素Ｇ１：イエロー粒子、第２画素Ｇ２：マゼンタ色粒子、第３画素Ｇ３：シアン色粒子）を第３電極上に集める。この結果、入射光は、互いに補色関係にある第１粒子３ａと第２粒子３ｂの減法混色によって吸収されて黒表示となる。
【０１４５】
このように、本実施の形態においても、所望の電極にＤＣ電圧、或いはＡＣ電圧を選択的に印加するようにすることにより、２種類の粒子３ａ，３ｂの色と着色層９の色、そして２粒子の減法混色により、白、黒、赤、緑、青などの単色、及びシアン、マゼンタ、イエローなどの補色の表示が可能となる。
【０１４６】
なお、図１２と図１３で説明した構成が、マイクロカプセル（図４参照）によって形成されることも好ましい形態の一つである。この場合、第１電極４は基板１ａ，１ｂおよびマイクロカプセル表面に囲まれた間隙に形成されることとなる。
【０１４７】
＜実施例＞
次に、これまで説明した本発明における一実施例について説明する。
【０１４８】
本実施例では図１４に示す構成の電気泳動表示素子を作製する。ここで、この電気泳動表示素子は、３つの画素Ｇ１〜Ｇ３が並列配置されて１ピクセルを構成している。なお、各画素Ｇ１〜Ｇ３のサイズを横４０μｍ×縦１２０μｍとし、１ピクセルのサイズを１２０μｍ角とする。また、この電気泳動表示素子は、６００ピクセル×６００ピクセルのサイズで作製する。
【０１４９】
そして、このような電気泳動表示素子を以下のように作製する。
【０１５０】
まず、第１基板１ａとして１．１ｍｍ厚のガラス基板を使用し、この第１基板上に薄型トランジスタ（不図示）や、その他駆動に必要な配線やＩＣ（不図示）を形成し、この後、基板全面に絶縁層としてＳｉ３Ｎ４膜を形成する。次に、高さ１０μｍ、幅７μｍの隔壁７を形成する。なお、この際、薄型トランジスタと第１電極４との電気的なコンタクトをとるための、コンタクトホール（不図示）を形成しておく。
【０１５１】
次に、Ａｌを成膜し、パターニングを行うことにより第１電極４を形成する。なお、このＡｌ成膜時において、コンタクトホールを通じて薄型トランジスタと第１電極４が導通される。次に、黒色の着色層９を全面に覆うように塗布する。その後、すでに形成した隔壁７の上にさらに高さ５μｍ、幅が上方に行くに連れて狭くなって３μｍとなる隔壁を形成し、隔壁７の高さを全体で１５μｍとする。
【０１５２】
次に、各画素Ｇ１〜Ｇ３に対応する領域に泳動粒子３ａ，３ｂと分散媒２を充填する。なお、分散媒２にはイソパラフィン（商品名：アイソパー、エクソン社製）を用いる。また、第１画素Ｇ１に白色の第２粒子３ｂと赤色の第１粒子３ａ、第２画素Ｇ２に白色の第２粒子３ｂと緑色の第１粒子３ａ、第３画素Ｇ３に白色の第２粒子３ｂと青色の第１粒子３ａを、マルチノズルを備えたインクジェット装置によって配置する。
【０１５３】
さらに、イソパラフィンには荷電制御剤を含有させ、これにより白色の第２粒子３ｂはマイナス帯電し、赤色粒子、緑色粒子、青色粒子はプラス帯電を示す。また、泳動粒子３ａ，３ｂと分散媒２の比誘電率を［泳動粒子の比誘電率＞分散媒の比誘電率］として、さらに誘電率差を８以上とする。
【０１５４】
一方、第２基板１ｂとして１００μｍ厚のＰＥＴを使用し、この第２基板１ｂ上にＩＴＯ電極を全面に成膜し、第２電極５を形成する。また第２電極５表面には絶縁層（不図示）を形成し、この第２基板１ｂを隔壁上に配置して密封し、電気泳動表示素子を完成させる。
【０１５５】
次に、このように作製した電気泳動表示素子を不図示の駆動ドライバーに接続して表示動作を検証する。具体的には、全ての画素の共通電極である第２電極５を０Ｖに接地して、第１電極４に書き込み信号を印加する。また、通常のアクティブＭＴＸ駆動と同様に走査線に順番に選択信号を印加し、同時に信号線には選択期間に同期して選択された走査線に相応する書き込み信号として、例えば白色、単色、補色、黒色のカラー表示を行うための書き込み信号を印加する。
【０１５６】
ここで、白表示の場合は、全ての画素の第１電極４に書き込み信号としてＤＣ−１０Ｖを印加する。これにより、図１５の（ａ）に示すように、全ての画素Ｇ１〜Ｇ３において白色の第２粒子３ｂが第２電極５上に移動して白色表示となる。よって、入射光が完全散乱された明るい白表示となる。
【０１５７】
緑表示の場合は、第１画素Ｇ１の第１電極４に書き込み信号としてＡＣ±１５Ｖ、周波数１ｋＨｚのＳｉｎ波を印加し、第２画素Ｇ２の第１電極４に書き込み信号としてＤＣ＋１０Ｖを印加し、第３画素Ｇ３の第１電極４に書き込み信号としてＡＣ±１５Ｖ、周波数１ｋＨｚのＳｉｎ波を印加する。
【０１５８】
これにより、図１５の（ｂ）に示すように、第１画素Ｇ１は黒色の着色層９ａが露出して黒色表示、第２画素Ｇ２は緑色の第１粒子３ａが第２電極５上に移動して緑色表示、第３画素Ｇ３は黒色の着色層９ｂが露出して黒色表示となる。よって、第２画素Ｇ２で散乱された緑色成分により緑色表示となる。
【０１５９】
マゼンタ表示の場合は、第１画素Ｇ１の第１電極４に書き込み信号としてＤＣ＋１０Ｖを印加し、第２画素Ｇ２の第１電極４に書き込み信号としてＡＣ±１５Ｖ、周波数１ｋＨｚのＳｉｎ波を印加し、第３画素Ｇ３の第１電極４に書き込み信号としてＤＣ＋１０Ｖを印加する。
【０１６０】
これにより、図１５の（ｃ）に示すように、第１画素Ｇ１は赤色の第１粒子３ａが第２電極５上に移動して赤色表示、第２画素Ｇ２は黒色の着色層９ｂが露出して黒色表示、第３画素Ｇ３は青色の第１粒子３ａが第２電極５上に移動して緑色表示となる。よって、第１画素Ｇ１で散乱された赤色成分と第３画素Ｇ３で散乱された青色成分との加法混色によりマゼンタ表示となる。
【０１６１】
黒表示の場合は、全ての画素の第１電極４に書き込み信号としてＡＣ±１５Ｖ、周波数１ｋＨｚのＳｉｎ波を印加する。図１５の（ｄ）に示すように、全ての画素Ｇ１〜Ｇ３において黒色の着色層９ａ，９ｂ，９ｃが露出して黒色表示となる。
【０１６２】
以上の方法によって得られたカラー表示色は、明るく鮮明であり期待通りの効果が得られる。
【図面の簡単な説明】
【０１６３】
【図１】本発明の第１の実施の形態に係る表示装置の一例としての電気泳動表示装置に設けられた電気泳動表示素子の概略構成を示す図。
【図２】本発明の第２の実施の形態に係るカラー表示が可能な電気泳動表示装置に設けられた電気泳動表示素子の概略構成を示す図。
【図３】上記電気泳動表示素子のカラー表示方法（駆動方法）を説明する図。
【図４】本発明の第３の実施の形態に係るカラー表示が可能な電気泳動表示装置に設けられた電気泳動表示素子の概略構成を示す図。
【図５】上記電気泳動表示素子のカラー表示方法（駆動方法）を説明する図。
【図６】本発明の第４の実施の形態に係るカラー表示が可能な電気泳動表示装置に設けられた電気泳動表示素子の概略構成を示す図。
【図７】上記電気泳動表示素子のカラー表示方法（駆動方法）を説明する図。
【図８】本発明の第５の実施の形態に係るカラー表示が可能な電気泳動表示装置に設けられた電気泳動表示素子の概略構成を示す図。
【図９】上記電気泳動表示素子のカラー表示方法（駆動方法）を説明する図。
【図１０】本発明の第６の実施の形態に係るカラー表示が可能な電気泳動表示装置に設けられた電気泳動表示素子の概略構成を示す図。
【図１１】上記電気泳動表示素子のカラー表示方法（駆動方法）を説明する図。
【図１２】本発明の第７の実施の形態に係るカラー表示が可能な電気泳動表示装置に設けられた電気泳動表示素子の概略構成を示す図。
【図１３】上記電気泳動表示素子のカラー表示方法（駆動方法）を説明する図。
【図１４】本発明の実施例に係るカラー表示が可能な電気泳動表示装置に設けられた電気泳動表示素子の概略構成を示す図。
【図１５】上記実施例における電気泳動表示素子のカラー表示方法（駆動方法）を説明する図。
【符号の説明】
【０１６４】
１ａ    第１基板
１ｂ    第２基板
２      分散媒
３ａ    第１泳動粒子
３ｂ    第２泳動粒子
４      第１電極
５      第２電極
６      突起形状の電極面
７      隔壁
８      マイクロカプセル
９ａ    着色層
９ｂ    着色層
９ｃ    着色層
１０    指向性散乱板
１１ａ  着色分散媒
１１ｂ  着色分散媒
１１ｃ  着色分散媒
１２    第３電極
Ａ      強電界領域
【図１】
2005242320.tif 000004
【図２】
2005242320.tif 000005
【図３】
2005242320.tif 000006
【図４】
2005242320.tif 000007
【図５】
2005242320.tif 000008
【図６】
2005242320.tif 000009
【図７】
2005242320.tif 000010
【図８】
2005242320.tif 000011
【図９】
2005242320.tif 000012
【図１０】
2005242320.tif 000013
【図１１】
2005242320.tif 000014
【図１２】
2005242320.tif 000015
【図１３】
2005242320.tif 000016
【図１４】
2005242320.tif 000017
【図１５】
2005242320.tif 000018